(57)【要約】【課題】海外旅行者が利用する通信サービスの通信容量をインセンティブとして、海外旅行者を誘客するサーバ装置等を提供する。【解決手段】  サーバ装置１００は、登録受付部１４１と、通知取得部１４２と、通信容量設定部１４３とを備える。登録受付部１４１は、SIMカードのレンタルサービスの利用登録を受け付けてユーザIDを付与する。通知取得部１４２は、SIMカードに関連付けられたユーザIDを使用して、商品又はサービスが予約又は購入されたことを示す実績通知を取得する。通信容量設定部１４３は、SIMカードに対し、ユーザIDに関連付けられ且つユーザが利用可能な通信容量を設定し、実績通知に基づいてSIMカードに設定された通信容量を増加させる。【選択図】図３
2019103014.tif 000002
【特許請求の範囲】
【請求項１】
SIMカードのレンタルサービスの利用登録を受け付けてユーザIDを付与する登録受付部と、
前記SIMカードに関連付けられた前記ユーザIDを使用して、商品又はサービスが予約又は購入されたことを示す実績通知を取得する通知取得部と、
前記SIMカードに対し、前記ユーザIDに関連付けられ且つユーザが利用可能な通信容量を設定し、前記実績通知に基づいて前記SIMカードに設定された通信容量を増加させる通信容量設定部と、
を備えることを特徴とするサーバ装置。
【請求項２】
前記通知取得部は、前記予約又は購入に対するキャンセル希望を示すキャンセル希望通知を取得し、
前記通信容量設定部は、前記キャンセル希望通知に基づくキャンセルが確定した場合に、前記実績通知に基づいて増加させた分の前記通信容量を、設定されている前記通信容量から控除する、
ことを特徴とする請求項１に記載のサーバ装置。
【請求項３】
前記キャンセル希望通知に基づくキャンセルが確定すると設定されている前記通信容量が前記控除によってマイナス値になる場合、該キャンセルが確定する前に、設定されている前記通信容量がマイナス値になることを示す通知を前記ユーザによって使用されるユーザ端末に送信する情報通知部をさらに備える、
ことを特徴とする請求項２に記載のサーバ装置。
【請求項４】
前記キャンセル希望通知に基づくキャンセルが確定すると設定されている前記通信容量が前記控除によってマイナス値になる場合、該キャンセルの確定の拒否を示す通知を前記ユーザによって使用されるユーザ端末に送信する情報通知部をさらに備える、
ことを特徴とする請求項２に記載のサーバ装置。
【請求項５】
前記情報通知部は、前記キャンセル希望通知に基づくキャンセルが確定すると設定されている前記通信容量が前記控除によってマイナス値になる場合、該キャンセルが確定する前に、前記通信容量の追加購入と、前記商品又はサービスを予約又は購入することとのいずれか一つ以上を提案する通知を前記ユーザ端末に送信する、
ことを特徴とする請求項３又は４に記載のサーバ装置。
【請求項６】
前記ユーザによって使用されるユーザ端末に、設定されている前記通信容量に応じた通知を送信する情報通知部をさらに備え、
前記情報通知部は、設定されている前記通信容量がマイナス値である場合、前記通信容量の追加購入と、前記商品又はサービスを予約又は購入することとのいずれか一つ以上を提案する通知を前記ユーザ端末に送信する、
ことを特徴とする請求項２に記載のサーバ装置。
【請求項７】
前記SIMカードに設定されている前記通信容量がゼロ以下になった場合に、前記SIMカードを使用する通信を制限し、設定されている前記通信容量がゼロ以下からプラス値になった場合に、前記制限を解除する通信制御部をさらに備える、
ことを特徴とする請求項１から６のいずれか１項に記載のサーバ装置。
【請求項８】
通信制御部をさらに備え、
前記通知取得部は、前記ユーザによって使用されるユーザ端末から利用開始を示す通知を取得し、
前記通信制御部は、前記利用開始を示す通知を取得したときから予め定められた期間内において前記SIMカードを使用する通信を許可し、該予め定められた期間外において該SIMカードを使用する通信を禁止する、
ことを特徴とする請求項１から６のいずれか１項に記載のサーバ装置。
【請求項９】
設定されている前記通信容量がマイナス値のまま、前記予め定められた期間を経過した場合に、前記ユーザ端末に、該マイナス値の大きさに応じた金額を課金することを示す課金通知を送信する課金通知部をさらに備える、
ことを特徴とする請求項８に記載のサーバ装置。
【請求項１０】
前記課金通知部は、前記ユーザID又は該ユーザIDに関連付けられたクレジットカード情報に基づいて、前記マイナス値の大きさに応じた金額を課金するための課金処理を実行する、
ことを特徴とする請求項９に記載のサーバ装置。
【請求項１１】
前記通知取得部は、前記ユーザIDを使用して、他のユーザに前記利用登録を紹介したことを示す紹介通知を取得し、
前記通信容量設定部は、前記通知取得部が前記紹介通知を取得した場合に、前記ユーザIDに関連付けられている前記通信容量を増加させる、
ことを特徴とする請求項１から１０のいずれか１項に記載のサーバ装置。
【請求項１２】
前記通知取得部は、前記ユーザIDを使用する前記ユーザによって使用されるユーザ端末が予め定められた場所に到達したことを示す到達通知を取得し、
前記通信容量設定部は、前記通知取得部が前記到達通知を取得した場合に、前記ユーザIDに関連付けられている前記通信容量を増加させる、
ことを特徴とする請求項１から１１のいずれか１項に記載のサーバ装置。
【請求項１３】
前記通知取得部は、宿泊施設が予約されたことを前記実績通知として取得し、さらに、該宿泊施設において前記ユーザがチェックインしたこと又はチェックアウトしたことを示す宿泊確認通知を取得し、
前記通信容量設定部は、前記通知取得部が前記宿泊確認通知を取得した後のタイミングで、前記宿泊施設の予約に伴う前記実績通知に基づいて前記SIMカードに設定された通信容量を増加させる、
ことを特徴とする請求項１から１２のいずれか１項に記載のサーバ装置。
【請求項１４】
前記通信容量設定部は、前記ユーザが次回の旅行期間に利用可能な通信容量として、今回の旅行における前記実績通知に基づく前記通信容量の増加を行う、
ことを特徴とする請求項１から１３のいずれか１項に記載のサーバ装置。
【請求項１５】
前記通知取得部は、前記SIMカードが返却されたことを示す返却通知を取得し、
前記通信容量設定部は、前記返却通知に基づいて、前記ユーザが次回の旅行期間に利用可能な通信容量として、前記通信容量の増加を行う、
ことを特徴とする請求項１から１４のいずれか１項に記載のサーバ装置。
【請求項１６】
前記通知取得部は、前記ユーザが前記SIMカードを再度使用したことを示す再使用通知を取得し、
前記通信容量設定部は、前記再使用通知に基づいて、前記通信容量の増加を行う、
ことを特徴とする請求項１から１５のいずれか１項に記載のサーバ装置。
【請求項１７】
SIMカードのレンタルサービスの利用登録を受け付けてユーザIDを付与するサーバ装置と、
前記ユーザID及び前記SIMカードを使用して通信を行うユーザ端末と、
を備える通信システムであって、
前記サーバ装置は、
前記SIMカードに関連付けられた前記ユーザIDを使用して、商品又はサービスが予約又は購入されたことを示す実績通知を取得し、
前記SIMカードに対し、前記ユーザIDに関連付けられ且つユーザが利用可能な通信容量を設定し、前記実績通知に基づいて前記SIMカードに設定された通信容量を増加させる、
ことを特徴とする通信システム。
【請求項１８】
前記SIMカードを自動的に提供するレンタル装置をさらに備え、
前記レンタル装置は、
前記サーバ装置から、該サーバ装置に利用登録されているユーザIDを受信し、
前記ユーザ端末から前記ユーザIDを取得した場合に、該ユーザ端末のユーザに前記SIMカードを提供し、前記SIMカードがレンタル中になっていることを前記サーバ装置に通知し、
前記SIMカードが返却された場合に、前記SIMカードが返却されたことを前記サーバ装置に通知する、
ことを特徴とする請求項１７に記載の通信システム。
【請求項１９】
SIMカードのレンタルサービスの利用登録を受け付けてユーザIDを付与する登録受付ステップと、
前記SIMカードに関連付けられた前記ユーザIDを使用して、商品又はサービスを予約又は購入されたことを示す実績通知を取得する実績通知取得ステップと、
前記SIMカードに対し、前記ユーザIDに関連付けられ且つユーザが利用可能な通信容量を設定する通信容量設定ステップと、
前記実績通知に基づいて、設定されている前記通信容量を増加させる通信容量増加ステップと、
を含むことを特徴とする通信方法。
【請求項２０】
コンピュータを、
SIMカードのレンタルサービスの利用登録を受け付けてユーザIDを付与する登録受付手段、
前記SIMカードに関連付けられた前記ユーザIDを使用して、商品又はサービスを予約又は購入されたことを示す実績通知を取得する通知取得手段、
前記SIMカードに対し、前記ユーザIDに関連付けられ且つユーザが利用可能な通信容量を設定し、前記実績通知に基づいて前記SIMカードに設定された通信容量を増加させる通信容量設定手段、
として機能させるためのプログラム。
【発明の詳細な説明】
【技術分野】
【０００１】
本開示は、サーバ装置、通信システム、通信方法及びプログラムに関する。
【背景技術】
【０００２】
近年、国際化が進み、海外旅行者が増加している。日本国外から来日する外国人をどのように誘客するかが日本国内で議論されている。外国においても他国からの観光客を誘客することが議論されている。
【０００３】
海外旅行者は、渡航先においても通信端末を円滑に使用できることを望んでいる。このような海外旅行者に通信端末を使用可能とするためのサービスが普及している。
【０００４】
例えば、特許文献１には、渡航先の空港、港、市街の店舗等において、携帯通信端末をレンタル又は販売するサービスと、渡航先で使用可能なSIM（Subscriber Identity Module）カードをレンタル又は販売するサービスとが開示されている。
【０００５】
ところで、近年、いわゆるSIMフリー端末が普及している。例えば、特許文献２には、使い捨てSIMカードを配布して、ユーザがそれを通信端末に差し込んで使用するサービスが開示されている。このサービスでは、課金はクレジット形式又はプリペイド形式で行われる。プリペイド残量がゼロになったり、通信量が所定値を超えたりすると低速通信（128kbps）になる。
【０００６】
特許文献３には、MNO(Mobile Network Operator)の無線通信インフラを利用してエンドユーザに無線通信サービスを提供するMVNO(Mobile Virtual Network Operator)のSIMカードの管理システムが開示されている。このシステムにおいて、サーバは、SIMカードの識別番号とユーザIDとの関連付けを行う。また、サーバはSIMカードの識別番号ごとに、使用中、休止中、解約済み等の通信状態と、速度制限、容量制限、時間帯制限等の通信品質とを設定・管理する。ゲートウェイは設定された通信品質に応じた制御を行い、SIMカードに契約により設定された通信量を超過する場合にはアラートを出して、通信帯域を制限する。
【先行技術文献】
【特許文献】
【０００７】
【特許文献１】特開２００４−２８２２６５号公報
【特許文献２】国際公開第２０１６／１４８２２９号
【特許文献３】特許第６１１６０８５号
【発明の概要】
【発明が解決しようとする課題】
【０００８】
上記特許文献は、いずれも、SIMカードをユーザに提供して通信サービスを確保する技術について開示している。しかし、上記特許文献には、海外旅行者が利用する通信サービスを利用して、海外旅行者を誘客することについては開示されていない。
【０００９】
そこで、本開示はこのような事情に鑑み、海外旅行者が利用する通信サービスの通信容量をインセンティブとして、海外旅行者を誘客するサーバ装置等を提供することを目的とする。
【課題を解決するための手段】
【００１０】
上記目的を達成するため、本開示の第１の観点に係るサーバ装置は、SIMカードのレンタルサービスの利用登録を受け付けてユーザIDを付与する登録受付部と、SIMカードに関連付けられたユーザIDを使用して、商品又はサービスが予約又は購入されたことを示す実績通知を取得する通知取得部と、SIMカードに対し、ユーザIDに関連付けられ且つユーザが利用可能な通信容量を設定し、実績通知に基づいてSIMカードに設定された通信容量を増加させる通信容量設定部とを備えることを特徴とする。
【００１１】
また、上記目的を達成するため、本開示の第２の観点に係る通信システムは、SIMカードのレンタルサービスの利用登録を受け付けてユーザIDを付与するサーバ装置と、ユーザID及びSIMカードを使用して通信を行うユーザ端末と、を備える通信システムであって、サーバ装置は、SIMカードに関連付けられたユーザIDを使用して、商品又はサービスが予約又は購入されたことを示す実績通知を取得し、SIMカードに対し、ユーザIDに関連付けられ且つユーザが利用可能な通信容量を設定し、実績通知に基づいてSIMカードに設定された通信容量を増加させることを特徴とする。
【００１２】
また、上記目的を達成するため、本開示の第３の観点に係る通信方法は、SIMカードのレンタルサービスの利用登録を受け付けてユーザIDを付与する登録受付ステップと、SIMカードに関連付けられたユーザIDを使用して、商品又はサービスを予約又は購入されたことを示す実績通知を取得する実績通知取得ステップと、SIMカードに対し、ユーザIDに関連付けられ且つユーザが利用可能な通信容量を設定する通信容量設定ステップと、実績通知に基づいて、設定されている通信容量を増加させる通信容量増加ステップとを含むことを特徴とする。
【００１３】
また、上記目的を達成するため、本開示の第４の観点に係るプログラムは、コンピュータを、SIMカードのレンタルサービスの利用登録を受け付けてユーザIDを付与する登録受付手段、SIMカードに関連付けられたユーザIDを使用して、商品又はサービスを予約又は購入されたことを示す実績通知を取得する通知取得手段、SIMカードに対し、ユーザIDに関連付けられ且つユーザが利用可能な通信容量を設定し、実績通知に基づいてSIMカードに設定された通信容量を増加させる通信容量設定手段として機能させる。
【発明の効果】
【００１４】
本開示によれば、海外旅行者が利用する通信サービスの通信容量をインセンティブとして海外旅行者を誘客することができる。
【図面の簡単な説明】
【００１５】
【図１】実施形態に係る通信システムの構成例を示す図である。
【図２】実施形態に係るレンタル装置の一例を示す正面図である。
【図３】実施形態に係るサーバ装置の構成例を示すブロック図である。
【図４】実施形態に係るサーバ装置が記憶する情報テーブルの一例を示す図である。
【図５】実施形態に係るサーバ装置が実行する制御処理の一例を示すフローチャートである。
【図６】実施形態に係るサーバ装置が実行するキャンセル関連処理の一例を示すフローチャートである。
【発明を実施するための形態】
【００１６】
以下、本開示の実施形態について図面を参照して説明する。なお、以下に説明する実施形態は、特許請求の範囲に記載された本開示の内容を不当に限定するものではない。また、実施形態に示される構成要素のすべてが、本開示の必須の構成要素であるとは限らない。
【００１７】
（実施形態）
図１に示すように、実施形態に係る通信システム１は、サーバ装置１００と、レンタル装置２００と、一台以上のユーザ端末３００とを備える。サーバ装置１００は、ネットワークＮＷを介して、レンタル装置２００及びユーザ端末３００と通信可能に接続される。ネットワークＮＷは、例えばＷＡＮ（World Area Network）である。
【００１８】
通信システム１は、ユーザが利用する通信サービスにおいて利用可能な通信容量を提供するシステムである。なお、想定される主なユーザは海外旅行者であり、通信サービスは渡航先で利用される通信サービスである。海外旅行者には、私的な旅行者に限らず、仕事上の理由で渡航する海外出張者も含まれる。
【００１９】
サーバ装置１００は、SIMカードのレンタルサービスの利用登録を受け付けて、ユーザIDを付与する。サーバ装置１００は、ユーザがそのユーザIDを使用して、利用可能な通信容量を設定する。サーバ装置１００は、所定の条件に基づいて、設定した通信容量を増減する。
【００２０】
レンタル装置２００は、ユーザにSIMカードを自動的に提供する装置である。具体的には、レンタル装置２００は、サーバ装置１００から、利用登録されているユーザIDを受信し、ユーザ端末３００からそのユーザIDと同一のユーザIDを取得した場合に、ユーザ端末３００のユーザにSIMカードを提供する。レンタル装置２００は、例えば、ユーザ端末３００に表示されたQRコード（登録商標）の読み取り、ユーザ端末３００と赤外線通信又は近接通信すること等によってユーザIDを取得する。
【００２１】
例えば、図２は、レンタル装置２００の一例を示す正面図である。この例では、レンタル装置２００は、直方体状の筐体を有し、その内部に複数のSIMカードを収納する。レンタル装置２００の正面には、テキスト、画像などを表示する表示部２１０と、SIMカードの選択操作を受け付けるSIMカード選択部２２０と、QRコードを読み取る読取部２３０と、SIMカードが排出される取出口２４０とが設けられる。
【００２２】
表示部２１０は、例えば、ＬＣＤ（Liquid Crystal Display）、ＥＬ（Electroluminescence）ディスプレイ等によって構成され、使用上の説明文、電子広告等を表示する。SIMカード選択部２２０は、SIMカードに対応する複数のボタンが配列され、レンタル可能なSIMカードに対応するボタンを点灯させ、レンタル不可能なSIMカードに対応するボタンを消灯させる。例えば、ボタンＰ１は点灯状態であり、ボタンＰ２は消灯状態である。
【００２３】
ユーザは、読取部２３０にユーザ端末３００をかざしてレンタル装置２００にQRコードを読み取らせ、SIMカード選択部２２０において点灯状態のボタンを押下する。そうすると、レンタル装置２００は、ユーザが取得できるように、押下されたボタンに対応するSIMカードを取出口２４０に排出する。なお、QRコードの情報に基づき、当該QRコードに対応するユーザ及びSIMカードを特定し、当該SIMカードを当該ユーザに提供してもよく、その場合、SIMカード選択部２２０は、ボタンを備えない構成であってもよい。
【００２４】
レンタル装置２００は、SIMカードを提供した場合に、そのSIMカードがレンタル中になっていることを、ネットワークＮＷを介して、サーバ装置１００に通知する。レンタル装置２００は、SIMカードが返却された場合に、SIMカードが返却されたことを示す返却通知をサーバ装置１００に通知する。レンタル装置２００は、例えば、空港、バス停、駅等の交通機関に設置される。ユーザは、旅行の移動過程において旅行先で利用するSIMカードを取得する。
【００２５】
ユーザ端末３００は、レンタルされたSIMカードを使用して通信可能な端末装置であり、いわゆるSIMフリー端末である。例えば、ユーザ端末３００は、パーソナルコンピュータ、タブレット端末、スマートフォン等の通信機能を有する装置である。なお、ユーザ端末３００は、ユーザによって使用される。
【００２６】
＜サーバ装置の構成＞
以下、サーバ装置１００の構成を詳細に説明する。図３に示すように、サーバ装置１００は、他の装置と通信を行う通信部１１０と、各種データを記憶する記憶部１２０と、時刻を計時する計時部１３０と、装置全体の制御を行う制御部１４０とを備える。これらの構成要素は、バスラインＢＬによって相互に接続される。
【００２７】
通信部１１０は、有線通信又は無線通信を行うためのＮＩＣ（Network Interface Card controller）を備える通信インターフェースである。通信部１１０は、ネットワークＮＷを介して、レンタル装置２００及びユーザ端末３００と通信を行う。
【００２８】
記憶部１２０は、ＲＡＭ（Random Access Memory）、ＲＯＭ（Read Only Memory）等から構成される。記憶部１２０は、各種制御処理を実行するためのプログラム、各種データ等を記憶する。
【００２９】
計時部１３０は、クロック信号を生成するための発振回路及び可変ＰＬＬ（Phase Locked Loop）、クロック信号のパルス数をカウントするカウンタ回路等から構成される。計時部１３０はカウントされるパルス数に基づいて時刻を計時する。
【００３０】
制御部１４０は、ＣＰＵ（Central Processing Unit）等から構成される。制御部１４０は、記憶部１２０に記憶されているプログラムを実行することにより、サーバ装置１００の全体の動作を制御する。制御部１４０は、計時部１３０がカウントするパルス数に基づいたタイミングで各種制御を実行する。また、制御部１４０は、計時部１３０が計時する時刻に基づいて、予め定められた期間を経過したか否かを判別する。予め定められた期間は、例えば、本サービスにおける通信容量の利用期間である。
【００３１】
この利用期間は、本レンタルサービスの提供事業者が設定した一定期間である。例えば、旅行期間によらず1か月間が利用期間として設定され、設定された利用期間は、SIMカードがユーザ端末３００に装着されたときから起算される。なお、利用期間には、ユーザが設定した旅行期間に応じた期間が設定されてもよい。この場合、例えば、旅行期間と同一期間又は旅行期間より数日長い期間が利用期間として設定される。
【００３２】
以下、制御部１４０の機能的な構成を説明する。制御部１４０は、登録受付部１４１、通知取得部１４２、通信容量設定部１４３、通信制御部１４４、情報通知部１４５、課金通知部１４６として機能する。
【００３３】
登録受付部１４１は、通信部１１０を介してSIMカードのレンタルサービスの利用登録を受け付ける。登録受付部１４１は、受け付けた利用登録に対してユーザIDを付与する。また、登録受付部１４１は、通信部１１０を介してユーザIDに関連付けるクレジットカード情報の登録を受け付ける。利用登録及びクレジットカード情報の登録は、例えば、ユーザが入力した申し込み情報をユーザ端末３００がサーバ装置１００に送信することによって行われる。なお、利用登録及びクレジットカード情報の登録は、ユーザ端末３００ではなく他の通信端末を使用して行われてもよい。また、クレジットカード会社又は決済代行会社（以下「決済代行業者等」という。）により決済を行う場合、クレジットカード情報は決済代行業者等のみが保有することとし、当該決済代行業者等が保有するシステムとの間で、ユーザIDを介して課金情報を共有する構成としてもよい。この場合、登録受付部１４１は、クレジットカード情報の登録を受け付けないこととしてもよい。
【００３４】
通知取得部１４２は、通信部１１０を介して各種通知を取得する。各種通知は、利用開始を示す通知と、実績通知と、キャンセル希望通知と、キャンセル取消通知とを含む。利用開始を示す通知は、ユーザ端末３００が利用期間中において初めてSIMカードを装着した場合に、ユーザ端末３００から送信される通知である。
【００３５】
本実施形態では、実績通知は、SIMカードに関連付けられたユーザIDを使用して、商品又はサービスが予約されたことを示す通知である。例えば、実績通知は、宿泊施設の宿泊を予約した場合に通知される。本実施形態では、キャンセル希望通知は、商品又はサービスの予約に対するキャンセル希望を示す通知である。キャンセル取消通知は、キャンセル希望通知を取り消す通知である。
【００３６】
通信容量設定部１４３は、SIMカードに対し、ユーザIDに関連付けられ且つユーザが利用可能な通信容量を設定する。通信容量設定部１４３は、通知取得部１４２が取得した実績通知に基づいて、SIMカードに設定された通信容量又はSIMカードに設定される通信容量を増加させる。通信容量設定部１４３は、通知取得部１４２がキャンセル希望通知を取得し、そのキャンセル希望通知によるキャンセルが確定した場合に、そのキャンセルに対応する実績通知に基づいて増加させた分の通信容量を、設定されている通信容量から控除する。
【００３７】
通信制御部１４４は、SIMカードに設定されている通信容量がゼロ以下になった場合に、SIMカードを使用する通信を制限する。通信制御部１４４は、設定されている通信容量がゼロ以下からプラス値（ゼロより大きい値）になった場合に、SIMカードの通信の制限を解除する。また、通信制御部１４４は、利用開始を示す通知を取得したときから予め定められた期間内においてSIMカードを使用する通信を許可し、その期間外においてSIMカードを使用する通信を禁止する。この例では、予め定められた期間は、先に述べた利用期間である。しかし、利用期間より長い期間が設定されてもよい。
【００３８】
通信の制限は、例えば、通常の通信（例えば数百Ｍｂｐｓの通信速度）に対し、通信速度を低速（例えば１２８ｋｂｐｓの通信速度）に制限することによって実現される。通信が低速に制限されていても、ユーザがユーザ端末３００のレンタルサービスのアプリを起動して商品又はサービスの予約をすることは可能である。
【００３９】
情報通知部１４５は、通信部１１０を介して、ユーザ端末３００に、設定されている通信容量に応じた通知を送信する。例えば、情報通知部１４５は、キャンセル希望通知に基づくキャンセルが確定すると設定されている通信容量が控除によってマイナス値（ゼロより小さい値）になる場合、キャンセルが確定する前に、設定されている通信容量がマイナス値になることを示す通知をユーザ端末３００に通知する。
【００４０】
情報通知部１４５は、キャンセル希望通知に基づくキャンセルが確定すると設定されている通信容量が控除によってマイナス値になる場合、キャンセルが確定する前に、通信容量の追加購入と、商品又はサービスを予約又は購入することとのいずれか一つ以上を提案する通知をユーザ端末３００に通知する。また、情報通知部１４５は、設定されている通信容量がマイナス値である場合、通信容量の追加購入と、商品又はサービスを予約又は購入することとのいずれか一つ以上を提案する通知をユーザ端末３００に送信する。
【００４１】
課金通知部１４６は、設定されている通信容量がマイナス値のまま、予め定められた期間（例えば利用期間）を経過した場合に、ユーザ端末３００に、そのマイナス値の大きさに応じた金額を課金することを示す課金通知を送信する。また、課金通知部１４６は、登録されているクレジットカード情報に基づいて、そのマイナス値の大きさに応じた金額を課金するための課金処理を実行する。課金処理は、決済代行会社等に、その課金金額とユーザのクレジットカード情報を通知し、決済代行会社等において決済処理できたか否かを確認する処理である。なお、決済代行業者等のみがユーザのクレジットカード情報を保有する構成の場合、課金通知部１４６は、上記の課金金額とユーザのクレジットカード情報の通知に代えて、課金金額とユーザIDを決済代行業者等に通知することにより、課金処理（決済処理できたか否かの確認）を行ってもよい。
【００４２】
＜情報テーブルのデータ構成＞
図４は、サーバ装置１００が記憶する情報テーブルの一例を示す図である。この情報テーブルにおいて、サーバ装置１００は、ユーザ毎の利用登録状況とユーザによって利用されるSIMカードの情報とを関連付けて管理する。
【００４３】
サーバ装置１００は、通信部１１０を介して受信した受信データに基づいて、情報テーブルにおいて各種情報の記憶又は変更を行う。以下、各種情報について説明する。
【００４４】
まず、サーバ装置１００の登録受付部１４１が利用登録及びクレジットカードの情報登録を受け付けたときに、「ユーザID」と「クレジットカード番号」とユーザの「連絡先」（すなわち通知先）とが情報テーブルに記憶される。これらの情報は、ユーザが利用登録時に入力したデータに基づいている。
【００４５】
この例では、登録受付部１４１は、「ユーザID」として、ユーザが設定したユーザ名を付与している。しかし、登録受付部１４１は、「ユーザID」として、ユーザ名ではなく、レンタルサービス提供事業者が設定した規則に基づいて管理番号を付与してもよい。すなわち、「ユーザID」は、ユーザを特定できる識別情報であればよい。
【００４６】
この例では、「連絡先」はメールアドレスである。しかし、「連絡先」は、ユーザに通知できる宛先であればよいため、例えばアプリのユーザIDや電話番号等であってもよい。この例では、情報テーブルに「クレジットカード番号」が記憶されている。しかし、「クレジットカード番号」ではなくクレジットカードの認証情報が情報テーブルに記憶されてもよい。また、決済代行業者等のみがユーザのクレジットカード情報を保有する構成の場合、「クレジットカード番号」や「クレジットカードの認証情報」は情報テーブルに記憶されない。
【００４７】
「利用状態」には、例えば、ユーザが利用中であるか否か、SIMカードを利用した通信が制限されているか否か、SIMカードを利用した通信が禁止されているか否か、SIMカードが返却されているか否か等の状態に応じた情報が記憶される。情報テーブルにおいて、「利用状態」は、サーバ装置１００が受信した通知やサーバ装置１００の通信制御部１４４による通信制御に基づいて変更される。
【００４８】
「通信容量」には、利用開始後の状態では、ユーザが利用可能な通信容量として設定された通信容量の残量が記憶される。一方、「通信容量」には、利用開始待ちの状態では、未だ設定されていない通信容量が記憶される。すなわち、SIMカードの利用が開始されるまでは、「通信容量」には、設定された通信容量ではなく、利用開始時に設定される通信容量が記憶される。なお、本サービスの利用予定がない場合、「通信容量」には、空白データが記憶される。
【００４９】
「利用期間」には、サーバ装置１００が利用開始を示す通知を受信した日から起算して1カ月の期間が記憶される。サーバ装置１００が利用開始を示す通知を受信してから「利用期間」が確定するため、サーバ装置１００が利用開始を示す通知を受信するまでは、「利用期間」には、空白データが記憶される。
【００５０】
「SIM識別情報」には、レンタルされたSIMカードを識別するための識別情報が記憶される。「SIM識別情報」は、利用開始を示す通知に含まれる情報である。「SIM識別情報」は、ユーザがSIMカードをユーザ端末３００に装着し、さらに「ユーザID」を使用してレンタルサービスのアプリでログインした場合に、その「ユーザID」と関連付けられる。そのため、ユーザによってSIMカードの利用が開始されるまでは、「SIM識別情報」には、空白データが記憶される。
【００５１】
＜処理の流れ＞
以下、図５を参照しながら、サーバ装置１００が実行する制御処理の一例を説明する。この処理は、サーバ装置１００がユーザからSIMカードのレンタルサービスの利用登録を受け付けたことを契機に実行される。
【００５２】
この処理は、利用期限が過ぎてから所定期間が経過した場合に終了する。また、この処理は、ユーザがSIMカードを返却した場合又は利用登録を解約した場合に終了又は中断する。この処理の終了又は中断は、サービス提供事業者がユーザIDを削除することによって行われてもよい。また、ユーザ端末３００又はユーザ端末３００以外の通信端末から送信された終了指示を示す通知をサーバ装置１００が受信した場合に、サーバ装置１００の制御部１４０がこの処理の終了又は中断を行ってもよい。
【００５３】
まず、制御部１４０の登録受付部１４１は、利用登録を受け付けて、受け付けた利用登録に対し、ユーザIDを付与する（ステップＳ１０１）。この際、制御部１４０は、利用登録時に取得したデータに基づいて、「ユーザID」、「クレジットカード番号」、「連絡先」等の情報を記憶部１２０の情報テーブルに記憶させる。
【００５４】
その後、制御部１４０は、通知取得部１４２が実績通知を取得したか否かを定期的に判別する（ステップＳ１０２）。制御部１４０の通知取得部１４２は、商品又はサービスが予約された場合に実績通知を取得する。例えば、ユーザが利用登録した後に旅行の日程を決めて、ユーザIDを使用して宿泊施設の予約をした場合、それを実績とする実績通知がサーバ装置１００に送信される。
【００５５】
ここで、制御部１４０の通知取得部１４２が実績通知を取得した場合（ステップＳ１０２；Ｙｅｓ）、通信容量設定部１４３は、設定される通信容量を増加させる（ステップＳ１０３）。なお、通信容量の増加分は、本サービスの提供事業者が予め定めた規則、予約金額、予約内容等に応じて設定される容量値である。例えば、予約金額が１０００円である場合に増加分が１００ＭＢであり、予約金額が５０００円である場合に増加分は５００ＭＢであってもよい。
【００５６】
例えば、利用登録時に付与される通信容量の初期値が２ＧＢであり、宿泊施設の予約に応じた通信容量の増加分が５００ＭＢであれば、その予約に使用したユーザIDに関連付けられ且つSIMカードに設定される通信容量は２．５ＧＢである。一方、制御部１４０の通知取得部１４２が実績通知を取得しない場合（ステップＳ１０２；Ｎｏ）、設定される通信容量はそのまま維持される。設定される通信容量の初期値は、例えば２ＧＢである。なお、設定される通信容量の初期値は、ゼロであってもよい。
【００５７】
実績通知に基づく増加分は、後述するステップＳ１０５の前までに、キャンセルされ得る。すなわち、制御部１４０の通知取得部１４２がその予約のキャンセル希望を示すキャンセル希望通知を取得して、そのキャンセル希望通知によるキャンセルが確定した場合に実績通知に基づく増加分がキャンセルされる。例えば、設定される通信容量が、２ＧＢの初期値と実績通知に基づく増加分５００ＭＢとの合計によって２．５ＧＢになっても、ステップＳ１０５の前までにキャンセルされた場合には、初期値の２．０ＧＢが利用可能な通信容量として設定される。このようなキャンセル関連処理の詳細については、図６に基づき後述する。
【００５８】
制御部１４０の通知取得部１４２は、ユーザ端末３００から利用開始を示す通知を取得する（ステップＳ１０４）。この際、制御部１４０は、利用開始を示す通知に基づいて、「利用開始期間」を示す情報と「SIM識別情報」を示す情報とを記憶部１２０の情報テーブルに記憶させる。
【００５９】
通信容量設定部１４３は、ユーザが利用可能な通信容量を設定する（ステップＳ１０５）。ユーザが利用可能な通信容量とは、先に述べた設定される通信容量と同じ値である。そのため、記憶部１２０の情報テーブルでは、状態情報が「利用開始待ち」から「利用中」に変更されるだけである。
【００６０】
ステップＳ１０５以降の処理において、制御部１４０の通知取得部１４２がキャンセル希望通知を取得した場合、制御部１４０は、図５に示す制御処理と並行するサブルーチンとして、図６に示すキャンセル関連処理を実行する。キャンセル関連処理の内容については後で説明する。
【００６１】
制御部１４０は、通信容量が設定された後においても、通知取得部１４２が実績通知を取得したか否かと、ユーザの通信容量の追加購入を受け付けたか否かとを定期的に判別する（ステップＳ１０６）。
【００６２】
ここで、実績通知が取得された又は通信容量が追加購入されたと判別された場合（ステップＳ１０６；Ｙｅｓ）、通信容量設定部１４３は、設定されている通信容量を増加させる（ステップＳ１０７）。実績通知が取得されず、且つ通信容量が追加購入されていないと判別された場合（ステップＳ１０６；Ｎｏ）、ステップＳ１０７はスキップされる。ユーザが利用可能な通信容量は、ステップＳ１０５以降において、ユーザの利用に応じて、その残量が徐々に減少する。ユーザが利用可能な通信容量は、その残量の減少により、ゼロになる可能性がある。ユーザが通信を行うことによる残量の減少は、利用可能な通信容量がゼロとなった時点で終了し、さらにユーザが通信を続けても、ゼロ未満（マイナス値）になることは原則としてない。ただし、後述するキャンセル関連処理によって、通信容量がマイナス値となる場合がある。
【００６３】
そのため、制御部１４０は、定期的に、設定されている通信容量がゼロ以下であるか否かを判別する（ステップＳ１０８）。ここで、設定されている通信容量がゼロ以下であると判別された場合（ステップＳ１０８；Ｙｅｓ）、制御部１４０の通信制御部１４４は、そのSIMカードを利用した通信を制限する（ステップＳ１１０）。制御部１４０は、ステップＳ１０６に戻って処理を実行する。なお、通信を制限する際、制御部１４０の情報通知部１４５は、通信容量の追加購入と、商品又はサービスを予約することとのいずれか一つ以上を提案する通知をユーザ端末３００に通知してもよい。
【００６４】
設定されている通信容量がゼロ以下でないと判別された場合（ステップS１０８；Ｎｏ）、制御部１４０は、利用期間が経過したか否かを判別する（ステップＳ１０９）。ここで、利用期間が経過したと判別された場合（ステップＳ１０９；Ｙｅｓ）、制御部１４０の通信制御部１４４はそのSIMカードを利用した通信を禁止する（ステップＳ１１３）。この場合、制御処理は終了となる。
【００６５】
なお、この場合において、制御処理が終了しない構成にされてもよい。例えば、通信を禁止する際、制御部１４０の情報通知部１４５は、利用期間の延長を提案する通知をユーザ端末３００に通知してもよい。利用期間が延長された場合、制御部１４０の通信制御部１４４は通信の禁止を解除して、制御部１４０がステップＳ１０２に戻って制御処理を継続してもよい。
【００６６】
利用期間が経過していないと判別された場合（ステップＳ１０９；Ｎｏ）、制御部１４０は、通信制御部１４４によって通信が制限されているか否かを判別する（ステップＳ１１１）。ここで、通信が制限されていないと判別された場合（ステップＳ１１１；Ｎｏ）、制御部１４０は、ステップＳ１０６に戻って処理を実行する。
【００６７】
通信が制限されていると判別された場合（ステップＳ１１１；Ｙｅｓ）、制御部１４０の通信制御部１４４は通信の制限を解除し（ステップＳ１１２）、制御部１４０は、ステップＳ１０６に戻って処理を実行する。すなわち、設定されている通信容量の値がゼロ以下になったとしても、その後の実績通知又は追加購入に基づく増加によってゼロより大きい値になった場合、通信の制限は解除される。
【００６８】
以下、図６を参照しながら、サーバ装置１００によって実行されるキャンセル関連処理について説明する。この処理は、ステップＳ１０３以降（実績通知により、通信容量が増加した以降）の処理において、制御部１４０の通知取得部１４２がキャンセル希望通知を取得したことを契機として実行される。この処理は、制御部１４０の通知取得部１４２がユーザ端末３００からキャンセル希望通知を取り消すキャンセル取消通知を取得した場合に中断する。すなわち、後述するステップＳ２０２以降の処理とステップＳ２０８以降の処理は、取消通知がない場合にのみ実行される。
【００６９】
まず、制御部１４０は、キャンセル希望通知に基づくキャンセルが確定した場合に、設定されている通信容量がその控除によってマイナス値になるか否かを判別する（ステップＳ２０１）。
【００７０】
ここで、通信容量がマイナス値にならないと判別された場合（ステップＳ２０１；Ｎｏ）、予約がキャンセルされ、制御部１４０は、予約実績のキャンセルを確定する（ステップＳ２０２）。この場合、制御部１４０の通信容量設定部１４３は、設定されている通信容量から、そのキャンセルに対応する実績通知に基づいて増加させた分の通信容量を控除し（ステップＳ２０３）、この処理は終了する。なお、ステップＳ１０５の前までにキャンセルがされた場合、通信容量がマイナスになることはないため、常にステップＳ２０１ではＮｏと判定され、上記ステップＳ２０２、Ｓ２０３の処理が行われる。
【００７１】
一方、通信容量がマイナス値になると判別された場合（ステップＳ２０１；Ｙｅｓ）、制御部１４０の情報通知部１４５は、そのキャンセルが確定した場合に設定されている通信容量がマイナス値になることを示す通知をユーザ端末３００に送信する（ステップＳ２０４）。
【００７２】
制御部１４０は、通知取得部１４２がユーザ端末３００からキャンセル取消通知を取得したか否かを判別する（ステップＳ２０５）。キャンセル取消通知は、通信容量がマイナス値になることを知ったユーザがキャンセルを取り消す操作を行った場合に通知される。キャンセル取消通知を取得していると判別した場合（ステップＳ２０５；Ｙｅｓ）、制御部１４０は、キャンセルを確定することなくキャンセル関連処理を終了する。
【００７３】
一方、キャンセル取消通知を取得していないと判別した場合（ステップＳ２０５；Ｎｏ）、制御部１４０の情報通知部１４５は、通信容量の追加購入と、商品又はサービスを予約することとのいずれか一つ以上を提案する通知をユーザ端末３００に通知する（ステップＳ２０６）。
【００７４】
制御部１４０は、通知取得部１４２が実績通知を取得したか否かと、ユーザの通信容量の追加購入を受け付けたか否かとを判別する（ステップＳ２０７）。
【００７５】
ここで、実績通知が取得された又は通信容量が追加購入されたと判別された場合（ステップＳ２０７；Ｙｅｓ）、通信容量設定部１４３は、設定されている通信容量を増加させる（ステップＳ２０８）。この場合、ステップＳ２０１に戻る。
【００７６】
一方、実績通知も取得されていない、且つ通信容量が追加購入されていないと判別された場合（ステップＳ２０７；Ｎｏ）、制御部１４０はキャンセル希望通知に基づいてキャンセルを確定する（ステップＳ２０９）。この場合、制御部１４０の通信容量設定部１４３は、設定されている通信容量から、確定したキャンセルに対応する実績通知に基づいて増加させた分の通信容量を控除する（ステップＳ２１０）。
【００７７】
この控除によって、設定されている通信容量はマイナス値になる。そのため、制御部１４０の通信制御部１４４は、そのSIMカードを利用した通信を制限する（ステップＳ２１１）。この場合、設定されている通信容量がマイナス値であるため、制御部１４０の情報通知部１４５は、通信容量の追加購入と、商品又はサービスを予約することとのいずれか一つ以上を提案する通知をユーザ端末３００に通知してもよい。
【００７８】
制御部１４０は、利用期間が経過したか否かを判別する（ステップＳ２１２）。すなわち、制御部１４０は、設定されている通信容量がマイナス値のまま利用期間が経過したか否かを判別する。
【００７９】
ここで、利用期間が経過していないと判別された場合（ステップＳ２１２；Ｎｏ）、制御部１４０は、ステップＳ２０６に戻って処理を実行する。一方、利用期間が経過したと判別された場合（ステップＳ２１２；Ｙｅｓ）、制御部１４０の課金通知部１４６は、通信部１１０を介して、そのマイナス値の大きさに応じた金額を課金することを示す課金通知を送信する（ステップＳ２１３）。
【００８０】
また、課金通知部１４６は、記憶部１２０の情報テーブルに登録されているクレジットカード情報に基づいて、そのマイナス値の大きさに応じた金額を課金するための課金処理を実行する（ステップＳ２１４）。これにより、マイナス値に応じた課金金額がクレジット決済される。
【００８１】
＜効果の説明＞
本実施形態に係る通信システム１において、サーバ装置１００は、SIMカードのレンタルサービスにおいて、SIMカードに関連付けられたユーザIDを使用して、商品又はサービスが予約されたことを示す実績通知を取得した場合には、SIMカードに設定されたユーザが利用可能な通信容量を増加させる。海外旅行者であるユーザは、渡航先でSIMカードに設定された通信容量を利用して通信する。
【００８２】
この場合、本レンタルサービス提供事業者は、例えば、ユーザが利用する通信サービスの通信容量をインセンティブとして、ユーザに、提携している宿泊施設、博物館、飲食店、物品販売業者等の商品又はサービスの予約を促すことができる。すなわち、本実施形態に係る通信システム１によれば、海外旅行者が利用する通信サービスの通信容量をインセンティブとして、海外旅行者を誘客することができる。
【００８３】
以上で実施形態の説明を終了するが、上記実施形態は一例に過ぎない。そのため、通信システム１及びサーバ装置１００の具体的な構成、処理内容等は上記実施形態で説明したものに限られない。以下、上記実施形態の変形例について説明する。なお、以下の説明において、実施形態に係る通信システム１及びサーバ装置１００と共通する構成要素については同一の符号を付する。
【００８４】
（変形例）
上記実施形態では、ユーザが商品又はサービスを予約した場合にサーバ装置１００は、実績通知を取得する。しかし、実績通知の取得条件は、上記実施形態に示すものに限られない。
【００８５】
例えば、ユーザがユーザIDを使用して商品又はサービスを購入した場合にサーバ装置１００が実績通知を取得してもよい。予約は決済を伴わない処理であり、購入は決済を伴う処理である。予約を実績通知の取得条件とする場合、ユーザが利用可能な通信容量は決済処理前に付与される。一方、購入を実績通知の取得条件とする場合、ユーザが利用可能な通信容量は決済処理後に付与される。
【００８６】
なお、実績通知は、予約と購入とのいずれか一方だけを取得条件とするのではなく、両方を取得条件としてもよい。この場合、サーバ装置１００は、予約時に実績通知を取得する商品又はサービスについては、その購入時（決済処理後）には実績通知を取得しないように構成されてもよい。これは、予約時と購入時において重複した実績通知の取得が生じないようにするためである。
【００８７】
ただし、予約時と購入時に付与される通信容量を分散させる場合には、このような構成でなくてもよい。例えば、５０００円の商品又はサービスを予約して購入する場合、サーバ装置１００は、予約時に２５００円に相当する通信容量を付与して、購入時に残りの２５００円に相当する通信容量を付与してもよい。
【００８８】
このように、実績通知は、予約又は購入において取得されてもよいし、予約及び購入において取得されてもよい。また、実績通知の変形例に対応し、その他の部分も変形可能である。
【００８９】
例えば、通知取得部１４２は、SIMカードに関連付けられたユーザIDを使用して、商品又はサービスが予約又は購入されたことを示す実績通知を取得してもよい。「商品又はサービスを予約又は購入」には、宿泊施設、飲食店、ツアープラン、ショッピングの予約又は購入が含まれてもよい。通知取得部１４２は、予約又は購入に対するキャンセル希望を示すキャンセル希望通知を取得してもよい。
【００９０】
情報通知部１４５は、キャンセル希望通知に基づくキャンセルが確定すると設定されている通信容量が控除によってマイナス値になる場合、そのキャンセルが確定する前に、通信容量の追加購入と、商品又はサービスを予約又は購入することとのいずれか一つ以上を提案する通知をユーザ端末３００に送信してもよい。
【００９１】
情報通知部１４５は、設定されている通信容量がマイナス値である場合、通信容量の追加購入と、商品又はサービスを予約又は購入することとのいずれか一つ以上を提案する通知をユーザ端末３００に送信してもよい。
【００９２】
上記実施形態では、情報通知部１４５は、キャンセル希望通知に基づくキャンセルの確定によって、設定されている通信容量がマイナス値になる場合、通信容量の追加購入等を促す通知をユーザ端末３００に送信している。しかし、情報通知部１４５による通知は、このような通知に限られない。
【００９３】
例えば、情報通知部１４５は、キャンセル希望通知に基づくキャンセルが確定すると設定されている通信容量がその控除によってマイナス値になる場合、そのキャンセルの確定の拒否を示す通知をユーザ端末３００に送信してもよい。すなわち、サーバ装置１００は、キャンセルを拒否することによって、設定されている通信容量がマイナス値になることを防止する構成にしてもよい。
【００９４】
上記実施形態では、サーバ装置１００は、実績通知に基づいてユーザが利用可能な通信容量を付与している。しかし、通信容量の付与はこのような条件に限られない。
【００９５】
例えば、通知取得部１４２は、ユーザIDを使用して、他のユーザに利用登録を紹介したことを示す紹介通知を取得し、通信容量設定部１４３は、通知取得部１４２が紹介通知を取得した場合に、そのユーザIDに関連付けられている通信容量を増加させてもよい。
【００９６】
通知取得部１４２は、ユーザIDを使用するユーザ端末３００が予め定められた場所に到達したことを示す到達通知を取得し、通信容量設定部１４３は、通知取得部１４２が到達通知を取得した場合に、そのユーザIDに関連付けられている通信容量を増加させてもよい。予め定められた場所は、宿泊施設、店舗、観光地等を含む。到達通知は、例えば、ビーコン信号受信、近距離無線通信、QRコードの読み取り等を介して行われる。到達通知は、ユーザ端末３００から送信されてもよいし、施設側の設置端末から送信されてもよい。
【００９７】
通知取得部１４２は、宿泊施設が予約されたことを実績通知として取得し、さらに、その宿泊施設においてユーザ端末３００のユーザがチェックインしたこと又はチェックアウトしたことを示す宿泊確認通知を取得してもよい。この場合において、通信容量設定部１４３は、通知取得部１４２が宿泊確認通知を取得した後のタイミングで、宿泊施設の予約に伴う実績通知に基づいてSIMカードに設定された通信容量を増加させてもよい。
【００９８】
通信容量設定部１４３は、ユーザ端末３００のユーザが次回の旅行期間に利用可能な通信容量として、今回の旅行における実績通知に基づく通信容量の増加を行ってもよい。
【００９９】
通知取得部１４２は、SIMカードが返却されたことを示す返却通知を取得し、通信容量設定部１４３は、その返却通知に基づいて、ユーザ端末のユーザが次回の旅行期間に利用可能な通信容量として、通信容量の増加を行ってもよい。
【０１００】
返却通知は、例えば、ユーザが事業者にSIMカードを郵送したこと、事業者がユーザ持ち込み又はユーザ郵送によって返却されたSIMカードを受領したこと等を証明する通知である。返却通知は、事業者、配送業者、ユーザ等の通信端末からサーバ装置１００へ送信される。
【０１０１】
通知取得部１４２は、ユーザ端末３００のユーザがSIMカードを再度使用することを示す再使用通知を取得し、通信容量設定部１４３は、その再使用通知に基づいて、ユーザ端末３００のユーザがそのSIMカードを複数回の旅行において繰り返し使用する場合に、通信容量の増加を行ってもよい。
【０１０２】
上記実施形態では、サーバ装置１００の課金通知部１４６は、登録されているクレジットカード情報に基づいて、そのマイナス値の大きさに応じた金額を課金するための課金処理を実行している。しかし、このような構成に限られない。
【０１０３】
例えば、ユーザがお金を予めデポジットしておき、サーバ装置１００の課金通知部１４６は、デポジットされているお金から通信容量のマイナス値に応じた金額を差し引いてもよい。この場合、課金処理を実行しなくても、デポジットされているお金を払い戻すときに調整できる。そのため、クレジットカード情報の登録を不要にしてもよいし、デポジットされている金額より通信容量のマイナス値に応じた課金金額が大きい場合に備えてクレジットカード情報の登録を必要にしてもよい。また、この場合、設定されている通信容量がマイナス値になることを回避することも可能となる。また、前述のように、クレジットカード情報は、外部の決済代行業者等のみが保有する構成とし、課金処理は、登録されているクレジットカード情報ではなく、ユーザIDを利用して行うこととしてもよい。
【０１０４】
実績通知は、ユーザがユーザIDを使用して商品又はサービスの予約又は購入した場合に限らず、サービス提供事業者の宣伝に協力したり、広告に応じたりした場合に通知されてもよい。例えば、ユーザがユーザIDを使用して、サービス提供事業者の広告又は動画を視聴した場合に、サーバ装置１００の通知取得部１４２が実績通知を取得してもよい。
【０１０５】
ユーザが、サービス提供事業者のアンケート又はインタビューに回答した場合にサーバ装置１００の通知取得部１４２が実績通知を取得してもよい。ユーザが、口コミ投稿受付サービスやＳＮＳ（Social Networking Service）において、サービス提供事業者に関連するコンテンツをアップロードした場合にサーバ装置１００の通知取得部１４２が実績通知を取得してもよい。これらの実績通知を取得した場合、通信容量設定部１４３は、その実績通知の種別に応じて予め定められた量だけ、ユーザが利用可能な通信容量を増加してもよい。
【０１０６】
上記実施形態では、サーバ装置１００が自動的に通信容量を設定し、通信を制御している。しかし、サーバ装置１００は、通信容量の設定又は変更、通信の制限又は禁止等を手動で行う構成であってもよい。
【０１０７】
例えば、サーバ管理者、サービス提供事業者等が手動で通信容量の設定又は変更、通信の制限又は禁止等の操作を行ってもよい。例えば、サーバ装置１００にこれらの操作を受け付ける操作部を設けてもよい。サーバ装置１００の通信部１１０がこれらの操作を受け付けた外部装置からその操作に基づく指示を受信してもよい。
【０１０８】
この場合、サーバ装置１００の通信容量設定部１４３及び通信制御部１４４は、受け付けた操作に応じて通信容量の設定、通信の制御等を行う。これにより、例えば、ユーザがホテルに予約又は予約のキャンセルの電話連絡をした場合に、その電話を受けたホテルの担当者は、裁量で通信容量や通信状態を設定変更することが可能となる。
【０１０９】
また、本開示に係る通信システムは、上記装置によらず、例えば、コンピュータがプログラムを実行することで、その機能を実現してもよい。通信システムの機能を実現するためのプログラムは、ＵＳＢ（Universal Serial Bus）メモリ、ＣＤ−ＲＯＭ（Compact Disc−Read Only Memory）、ＤＶＤ（Digital Versatile Disc）、ＨＤＤ（Hard Disc Drive）等のコンピュータ読み取り可能な記録媒体に記憶されてもよいし、ネットワークを介してコンピュータにダウンロードされてもよい。
【０１１０】
以上、本開示の好ましい実施形態について説明したが、本開示は係る特定の実施形態に限定されるものではなく、本開示には、特許請求の範囲に記載された発明とその均等の範囲が含まれる。また、上記実施形態及び変形例で説明した装置の構成は、技術的な矛盾が生じない限り、適宜組み合わせ可能である。
【符号の説明】
【０１１１】
１…通信システム、１００…サーバ装置、２００…レンタル装置、３００…ユーザ端末、１１０…通信部、１２０…記憶部、１３０…計時部、１４０…制御部、１４１…登録受付部、１４２…通知取得部、１４３…通信容量設定部、１４４…通信制御部、１４５…情報通知部、１４６…課金通知部、２１０…表示部、２２０…SIMカード選択部、２３０…読取部、２４０…取出口
【図１】
2019103014.tif 000003
【図２】
2019103014.tif 000004
【図３】
2019103014.tif 000005
【図４】
2019103014.tif 000006
【図５】
2019103014.tif 000007
【図６】
2019103014.tif 000008
【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
SIMカードの利用登録を受け付けてユーザIDを付与する登録受付部と、
前記SIMカードに関連付けられた前記ユーザIDを使用して、商品又はサービスが予約又は購入されたことを示す実績通知を取得する通知取得部と、
前記SIMカードに対し、前記ユーザIDに関連付けられ且つユーザが利用可能な通信容量を設定し、前記実績通知に基づいて前記SIMカードに設定された通信容量を増加させる通信容量設定部と、
を備え、
前記通知取得部は、前記予約又は購入に対するキャンセル希望を示すキャンセル希望通知を取得し、
前記通信容量設定部は、前記キャンセル希望通知に基づくキャンセルが確定した場合に、前記実績通知に基づいて増加させた分の前記通信容量を、設定されている前記通信容量から控除し、
前記キャンセル希望通知に基づくキャンセルが確定すると設定されている前記通信容量が前記控除によってマイナス値になる場合、該キャンセルが確定する前に、設定されている前記通信容量がマイナス値になることを示す通知を前記ユーザによって使用されるユーザ端末に送信する情報通知部をさらに備える、
ことを特徴とするサーバ装置。
【請求項２】
SIMカードの利用登録を受け付けてユーザIDを付与する登録受付部と、
前記SIMカードに関連付けられた前記ユーザIDを使用して、商品又はサービスが予約又は購入されたことを示す実績通知を取得する通知取得部と、
前記SIMカードに対し、前記ユーザIDに関連付けられ且つユーザが利用可能な通信容量を設定し、前記実績通知に基づいて前記SIMカードに設定された通信容量を増加させる通信容量設定部と、
を備え、
前記通知取得部は、前記予約又は購入に対するキャンセル希望を示すキャンセル希望通知を取得し、
前記通信容量設定部は、前記キャンセル希望通知に基づくキャンセルが確定した場合に、前記実績通知に基づいて増加させた分の前記通信容量を、設定されている前記通信容量から控除し、
前記キャンセル希望通知に基づくキャンセルが確定すると設定されている前記通信容量が前記控除によってマイナス値になる場合、該キャンセルの確定の拒否を示す通知を前記ユーザによって使用されるユーザ端末に送信する情報通知部をさらに備える、
ことを特徴とするサーバ装置。
【請求項３】
前記情報通知部は、前記キャンセル希望通知に基づくキャンセルが確定すると設定されている前記通信容量が前記控除によってマイナス値になる場合、該キャンセルが確定する前に、前記通信容量の追加購入と、前記商品又はサービスを予約又は購入することとのいずれか一つ以上を提案する通知を前記ユーザ端末に送信する、
ことを特徴とする請求項１又は２に記載のサーバ装置。
【請求項４】
SIMカードの利用登録を受け付けてユーザIDを付与する登録受付部と、
前記SIMカードに関連付けられた前記ユーザIDを使用して、商品又はサービスが予約又は購入されたことを示す実績通知を取得する通知取得部と、
前記SIMカードに対し、前記ユーザIDに関連付けられ且つユーザが利用可能な通信容量を設定し、前記実績通知に基づいて前記SIMカードに設定された通信容量を増加させる通信容量設定部と、
を備え、
前記通知取得部は、前記予約又は購入に対するキャンセル希望を示すキャンセル希望通知を取得し、
前記通信容量設定部は、前記キャンセル希望通知に基づくキャンセルが確定した場合に、前記実績通知に基づいて増加させた分の前記通信容量を、設定されている前記通信容量から控除し、
前記ユーザによって使用されるユーザ端末に、設定されている前記通信容量に応じた通知を送信する情報通知部をさらに備え、
前記情報通知部は、設定されている前記通信容量がマイナス値である場合、前記通信容量の追加購入と、前記商品又はサービスを予約又は購入することとのいずれか一つ以上を提案する通知を前記ユーザ端末に送信する、
ことを特徴とするサーバ装置。
【請求項５】
前記SIMカードに設定されている前記通信容量がゼロ以下になった場合に、前記SIMカードを使用する通信を制限し、設定されている前記通信容量がゼロ以下からプラス値になった場合に、前記制限を解除する通信制御部をさらに備える、
ことを特徴とする請求項１から４のいずれか１項に記載のサーバ装置。
【請求項６】
通信制御部をさらに備え、
前記通知取得部は、前記ユーザによって使用されるユーザ端末から利用開始を示す通知を取得し、
前記通信制御部は、前記利用開始を示す通知を取得したときから予め定められた期間内において前記SIMカードを使用する通信を許可し、該予め定められた期間外において該SIMカードを使用する通信を禁止する、
ことを特徴とする請求項１から４のいずれか１項に記載のサーバ装置。
【請求項７】
設定されている前記通信容量がマイナス値のまま、前記予め定められた期間を経過した場合に、前記ユーザ端末に、該マイナス値の大きさに応じた金額を課金することを示す課金通知を送信する課金通知部をさらに備える、
ことを特徴とする請求項６に記載のサーバ装置。
【請求項８】
前記課金通知部は、前記ユーザID又は該ユーザIDに関連付けられたクレジットカード情報に基づいて、前記マイナス値の大きさに応じた金額を課金するための課金処理を実行する、
ことを特徴とする請求項７に記載のサーバ装置。
【請求項９】
前記通知取得部は、前記ユーザIDを使用して、他のユーザに前記利用登録を紹介したことを示す紹介通知を取得し、
前記通信容量設定部は、前記通知取得部が前記紹介通知を取得した場合に、前記ユーザIDに関連付けられている前記通信容量を増加させる、
ことを特徴とする請求項１から８のいずれか１項に記載のサーバ装置。
【請求項１０】
前記通知取得部は、前記ユーザIDを使用する前記ユーザによって使用されるユーザ端末が予め定められた場所に到達したことを示す到達通知を取得し、
前記通信容量設定部は、前記通知取得部が前記到達通知を取得した場合に、前記ユーザIDに関連付けられている前記通信容量を増加させる、
ことを特徴とする請求項１から９のいずれか１項に記載のサーバ装置。
【請求項１１】
前記通知取得部は、宿泊施設が予約されたことを前記実績通知として取得し、さらに、該宿泊施設において前記ユーザがチェックインしたこと又はチェックアウトしたことを示す宿泊確認通知を取得し、
前記通信容量設定部は、前記通知取得部が前記宿泊確認通知を取得した後のタイミングで、前記宿泊施設の予約に伴う前記実績通知に基づいて前記SIMカードに設定された通信容量を増加させる、
ことを特徴とする請求項１から１０のいずれか１項に記載のサーバ装置。
【請求項１２】
前記通信容量設定部は、前記ユーザが次回の旅行期間に利用可能な通信容量として、今回の旅行における前記実績通知に基づく前記通信容量の増加を行う、
ことを特徴とする請求項１から１１のいずれか１項に記載のサーバ装置。
【請求項１３】
前記通知取得部は、前記SIMカードが返却されたことを示す返却通知を取得し、
前記通信容量設定部は、前記返却通知に基づいて、前記ユーザが次回の旅行期間に利用可能な通信容量として、前記通信容量の増加を行う、
ことを特徴とする請求項１から１２のいずれか１項に記載のサーバ装置。
【請求項１４】
前記通知取得部は、前記ユーザが前記SIMカードを再度使用したことを示す再使用通知を取得し、
前記通信容量設定部は、前記再使用通知に基づいて、前記通信容量の増加を行う、
ことを特徴とする請求項１から１３のいずれか１項に記載のサーバ装置。
【請求項１５】
SIMカードのレンタルサービスの利用登録を受け付けてユーザIDを付与するサーバ装置と、
前記ユーザID及び前記SIMカードを使用して通信を行うユーザ端末と、
前記SIMカードを自動的に提供するレンタル装置と、
を備える通信システムであって、
前記サーバ装置は、
前記SIMカードに関連付けられた前記ユーザIDを使用して、商品又はサービスが予約又は購入されたことを示す実績通知を取得し、
前記SIMカードに対し、前記ユーザIDに関連付けられ且つユーザが利用可能な通信容量を設定し、前記実績通知に基づいて前記SIMカードに設定された通信容量を増加させ、
前記レンタル装置は、
前記サーバ装置から、該サーバ装置に利用登録されているユーザIDを受信し、
前記ユーザ端末から前記ユーザIDを取得した場合に、該ユーザ端末のユーザに前記SIMカードを提供し、前記SIMカードがレンタル中になっていることを前記サーバ装置に通知し、
前記SIMカードが返却された場合に、前記SIMカードが返却されたことを前記サーバ装置に通知する、
ことを特徴とする通信システム。
【請求項１６】
SIMカードの利用登録を受け付けてユーザIDを付与する登録受付ステップと、
前記SIMカードに関連付けられた前記ユーザIDを使用して、商品又はサービスを予約又は購入されたことを示す実績通知を取得する実績通知取得ステップと、
前記SIMカードに対し、前記ユーザIDに関連付けられ且つユーザが利用可能な通信容量を設定する通信容量設定ステップと、
前記実績通知に基づいて、設定されている前記通信容量を増加させる通信容量増加ステップと、を含み、
前記実績通知取得ステップにおいて、前記予約又は購入に対するキャンセル希望を示すキャンセル希望通知を取得し、
前記通信容量設定ステップにおいて、前記キャンセル希望通知に基づくキャンセルが確定した場合に、前記実績通知に基づいて増加させた分の前記通信容量を、設定されている前記通信容量から控除し、
前記キャンセル希望通知に基づくキャンセルが確定すると設定されている前記通信容量が前記控除によってマイナス値になる場合、該キャンセルが確定する前に、設定されている前記通信容量がマイナス値になることを示す通知を前記ユーザによって使用されるユーザ端末に送信する情報通知ステップをさらに含む、
ことを特徴とする通信方法。
【請求項１７】
SIMカードの利用登録を受け付けてユーザIDを付与する登録受付ステップと、
前記SIMカードに関連付けられた前記ユーザIDを使用して、商品又はサービスが予約又は購入されたことを示す実績通知を取得する通知取得ステップと、
前記SIMカードに対し、前記ユーザIDに関連付けられ且つユーザが利用可能な通信容量を設定し、前記実績通知に基づいて前記SIMカードに設定された通信容量を増加させる通信容量設定ステップと、
を含み、
前記通知取得ステップにおいて、前記予約又は購入に対するキャンセル希望を示すキャンセル希望通知を取得し、
前記通信容量設定ステップにおいて、前記キャンセル希望通知に基づくキャンセルが確定した場合に、前記実績通知に基づいて増加させた分の前記通信容量を、設定されている前記通信容量から控除し、
前記キャンセル希望通知に基づくキャンセルが確定すると設定されている前記通信容量が前記控除によってマイナス値になる場合、該キャンセルの確定の拒否を示す通知を前記ユーザによって使用されるユーザ端末に送信する情報通知ステップをさらに含む、
ことを特徴とする通信方法。
【請求項１８】
SIMカードの利用登録を受け付けてユーザIDを付与する登録受付ステップと、
前記SIMカードに関連付けられた前記ユーザIDを使用して、商品又はサービスが予約又は購入されたことを示す実績通知を取得する通知取得ステップと、
前記SIMカードに対し、前記ユーザIDに関連付けられ且つユーザが利用可能な通信容量を設定し、前記実績通知に基づいて前記SIMカードに設定された通信容量を増加させる通信容量設定ステップと、
を含み、
前記通知取得ステップにおいて、前記予約又は購入に対するキャンセル希望を示すキャンセル希望通知を取得し、
前記通信容量設定ステップにおいて、前記キャンセル希望通知に基づくキャンセルが確定した場合に、前記実績通知に基づいて増加させた分の前記通信容量を、設定されている前記通信容量から控除し、
前記ユーザによって使用されるユーザ端末に、設定されている前記通信容量に応じた通知を送信する情報通知ステップをさらに含み、
前記情報通知ステップにおいて、設定されている前記通信容量がマイナス値である場合、前記通信容量の追加購入と、前記商品又はサービスを予約又は購入することとのいずれか一つ以上を提案する通知を前記ユーザ端末に送信する、
ことを特徴とする通信方法。
【請求項１９】
コンピュータを、
SIMカードの利用登録を受け付けてユーザIDを付与する登録受付手段、
前記SIMカードに関連付けられた前記ユーザIDを使用して、商品又はサービスを予約又は購入されたことを示す実績通知を取得する通知取得手段、
前記SIMカードに対し、前記ユーザIDに関連付けられ且つユーザが利用可能な通信容量を設定し、前記実績通知に基づいて前記SIMカードに設定された通信容量を増加させる通信容量設定手段、
として機能させ、
前記通知取得手段は、前記予約又は購入に対するキャンセル希望を示すキャンセル希望通知を取得し、
前記通信容量設定手段は、前記キャンセル希望通知に基づくキャンセルが確定した場合に、前記実績通知に基づいて増加させた分の前記通信容量を、設定されている前記通信容量から控除し、
さらに、前記コンピュータを、
前記キャンセル希望通知に基づくキャンセルが確定すると設定されている前記通信容量が前記控除によってマイナス値になる場合、該キャンセルが確定する前に、設定されている前記通信容量がマイナス値になることを示す通知を前記ユーザによって使用されるユーザ端末に送信する情報通知手段、
として機能させるためのプログラム。
【請求項２０】
コンピュータを、
SIMカードの利用登録を受け付けてユーザIDを付与する登録受付手段、
前記SIMカードに関連付けられた前記ユーザIDを使用して、商品又はサービスを予約又は購入されたことを示す実績通知を取得する通知取得手段、
前記SIMカードに対し、前記ユーザIDに関連付けられ且つユーザが利用可能な通信容量を設定し、前記実績通知に基づいて前記SIMカードに設定された通信容量を増加させる通信容量設定手段、
として機能させ、
前記通知取得手段は、前記予約又は購入に対するキャンセル希望を示すキャンセル希望通知を取得し、
前記通信容量設定手段は、前記キャンセル希望通知に基づくキャンセルが確定した場合に、前記実績通知に基づいて増加させた分の前記通信容量を、設定されている前記通信容量から控除し、
さらに、前記コンピュータを、
前記キャンセル希望通知に基づくキャンセルが確定すると設定されている前記通信容量が前記控除によってマイナス値になる場合、該キャンセルの確定の拒否を示す通知を前記ユーザによって使用されるユーザ端末に送信する情報通知手段、
として機能させるためのプログラム。
【請求項２１】
コンピュータを、
SIMカードの利用登録を受け付けてユーザIDを付与する登録受付手段、
前記SIMカードに関連付けられた前記ユーザIDを使用して、商品又はサービスを予約又は購入されたことを示す実績通知を取得する通知取得手段、
前記SIMカードに対し、前記ユーザIDに関連付けられ且つユーザが利用可能な通信容量を設定し、前記実績通知に基づいて前記SIMカードに設定された通信容量を増加させる通信容量設定手段、
として機能させ、
前記通知取得手段は、前記予約又は購入に対するキャンセル希望を示すキャンセル希望通知を取得し、
前記通信容量設定手段は、前記キャンセル希望通知に基づくキャンセルが確定した場合に、前記実績通知に基づいて増加させた分の前記通信容量を、設定されている前記通信容量から控除し、
さらに、前記コンピュータを、
前記ユーザによって使用されるユーザ端末に、設定されている前記通信容量に応じた通知を送信する情報通知手段として機能させ、
前記情報通知手段は、設定されている前記通信容量がマイナス値である場合、前記通信容量の追加購入と、前記商品又はサービスを予約又は購入することとのいずれか一つ以上を提案する通知を前記ユーザ端末に送信する、
ことを特徴とするプログラム。
【手続補正２】
【補正対象書類名】明細書
【補正対象項目名】００１０
【補正方法】変更
【補正の内容】
【００１０】
上記目的を達成するため、本開示の第１の観点に係るサーバ装置は、SIMカードの利用登録を受け付けてユーザIDを付与する登録受付部と、SIMカードに関連付けられたユーザIDを使用して、商品又はサービスが予約又は購入されたことを示す実績通知を取得する通知取得部と、SIMカードに対し、ユーザIDに関連付けられ且つユーザが利用可能な通信容量を設定し、実績通知に基づいてSIMカードに設定された通信容量を増加させる通信容量設定部とを備え、通知取得部は、予約又は購入に対するキャンセル希望を示すキャンセル希望通知を取得し、通信容量設定部は、キャンセル希望通知に基づくキャンセルが確定した場合に、実績通知に基づいて増加させた分の通信容量を、設定されている通信容量から控除し、キャンセル希望通知に基づくキャンセルが確定すると設定されている通信容量が控除によってマイナス値になる場合、該キャンセルが確定する前に、設定されている通信容量がマイナス値になることを示す通知をユーザによって使用されるユーザ端末に送信する情報通知部をさらに備えることを特徴とする。
【手続補正３】
【補正対象書類名】明細書
【補正対象項目名】００１１
【補正方法】変更
【補正の内容】
【００１１】
また、上記目的を達成するため、本開示の第２の観点に係る通信システムは、SIMカードのレンタルサービスの利用登録を受け付けてユーザIDを付与するサーバ装置と、ユーザID及びSIMカードを使用して通信を行うユーザ端末と、SIMカードを自動的に提供するレンタル装置と、を備える通信システムであって、サーバ装置は、SIMカードに関連付けられたユーザIDを使用して、商品又はサービスが予約又は購入されたことを示す実績通知を取得し、SIMカードに対し、ユーザIDに関連付けられ且つユーザが利用可能な通信容量を設定し、実績通知に基づいてSIMカードに設定された通信容量を増加させ、レンタル装置は、サーバ装置から、該サーバ装置に利用登録されているユーザIDを受信し、ユーザ端末からユーザIDを取得した場合に、該ユーザ端末のユーザにSIMカードを提供し、SIMカードがレンタル中になっていることをサーバ装置に通知し、SIMカードが返却された場合に、SIMカードが返却されたことをサーバ装置に通知することを特徴とする。
【手続補正４】
【補正対象書類名】明細書
【補正対象項目名】００１２
【補正方法】変更
【補正の内容】
【００１２】
また、上記目的を達成するため、本開示の第３の観点に係る通信方法は、SIMカードの利用登録を受け付けてユーザIDを付与する登録受付ステップと、SIMカードに関連付けられたユーザIDを使用して、商品又はサービスを予約又は購入されたことを示す実績通知を取得する実績通知取得ステップと、SIMカードに対し、ユーザIDに関連付けられ且つユーザが利用可能な通信容量を設定する通信容量設定ステップと、実績通知に基づいて、設定されている通信容量を増加させる通信容量増加ステップとを含み、実績通知取得ステップにおいて、予約又は購入に対するキャンセル希望を示すキャンセル希望通知を取得し、通信容量設定ステップにおいて、キャンセル希望通知に基づくキャンセルが確定した場合に、実績通知に基づいて増加させた分の通信容量を、設定されている通信容量から控除し、キャンセル希望通知に基づくキャンセルが確定すると設定されている通信容量が控除によってマイナス値になる場合、該キャンセルが確定する前に、設定されている通信容量がマイナス値になることを示す通知をユーザによって使用されるユーザ端末に送信する情報通知ステップをさらに含む、ことを特徴とする。
【手続補正５】
【補正対象書類名】明細書
【補正対象項目名】００１３
【補正方法】変更
【補正の内容】
【００１３】
また、上記目的を達成するため、本開示の第４の観点に係るプログラムは、コンピュータを、SIMカードの利用登録を受け付けてユーザIDを付与する登録受付手段、SIMカードに関連付けられたユーザIDを使用して、商品又はサービスを予約又は購入されたことを示す実績通知を取得する通知取得手段、SIMカードに対し、ユーザIDに関連付けられ且つユーザが利用可能な通信容量を設定し、実績通知に基づいてSIMカードに設定された通信容量を増加させる通信容量設定手段として機能させ、通知取得手段は、予約又は購入に対するキャンセル希望を示すキャンセル希望通知を取得し、通信容量設定手段は、キャンセル希望通知に基づくキャンセルが確定した場合に、実績通知に基づいて増加させた分の通信容量を、設定されている通信容量から控除し、さらに、コンピュータを、キャンセル希望通知に基づくキャンセルが確定すると設定されている通信容量が控除によってマイナス値になる場合、該キャンセルが確定する前に、設定されている通信容量がマイナス値になることを示す通知をユーザによって使用されるユーザ端末に送信する情報通知手段、として機能させる。